(57)【要約】【課題】  スクランブル放送されている番組を簡易に視聴させる。【解決手段】  携帯電話機１０は、テレビボタンが押下されると、現在在圏する無線ＬＡＮの基地局４０から受信したエリアＩＤおよび携帯電話機１０の電話番号を管理サーバ３０に送信する。管理サーバ３０は、電話番号およびエリアＩＤに基づいて、ユーザが視聴契約しており、かつ無線ＬＡＮの無線エリア４０Ａ内で視聴可能な放送チャンネルに対応する視聴鍵を抽出する。管理サーバ３０は、視聴鍵と放送チャンネルとを含むテレビ番組情報を携帯電話機１０に送信する。携帯電話機１０は、ユーザによりテレビ番組情報に含まれる放送チャンネルが選択されると、無線ＬＡＮの基地局４０からテレビ番組を受信する。これにより、携帯電話機１０の表示画面上には、視聴鍵を用いてスクランブルが解除された後のテレビ番組が表示される。【選択図】  図１
2006074500.tif 000002
【特許請求の範囲】
【請求項１】
テレビ番組を放送する無線ＬＡＮの基地局と、当該無線ＬＡＮの基地局に接続可能な移動通信端末と、当該移動通信端末が接続可能な移動体通信網の基地局と、前記移動通信端末と前記移動体通信網の基地局を介して通信を行う管理サーバと、を備える無線ＬＡＮ放送システムであって、
前記移動通信端末が、
前記無線ＬＡＮの基地局がカバーする無線エリア内に移動したときに、当該無線エリアを識別するためのエリアＩＤを前記無線ＬＡＮの基地局から受信するエリアＩＤ受信手段と、
前記受信されたエリアＩＤおよび前記移動通信端末を識別するための端末ＩＤを、前記管理サーバに送信する識別ＩＤ送信手段と、
テレビ番組が放送される放送チャンネルおよびテレビ番組を視聴するための視聴鍵が含まれる番組情報を、前記管理サーバから受信する番組情報受信手段と、
前記番組情報受信手段により受信された番組情報に含まれる前記放送チャンネルで放送されるテレビ番組を、前記無線ＬＡＮの基地局から受信する番組受信手段と、
前記番組受信手段により受信されたテレビ番組を、前記番組情報受信手段により受信された視聴鍵を用いて復号する復号手段と、を備え、
前記管理サーバが、
前記エリアＩＤおよび前記端末ＩＤを、前記移動通信端末から受信する識別ＩＤ受信手段と、
前記ＩＤ受信手段により受信された端末ＩＤに基づいて、前記移動通信端末のユーザが視聴契約している契約放送チャンネルを、予め前記端末ＩＤと前記契約放送チャンネルとを対応付けて記憶している契約放送チャンネル記憶手段から抽出する契約放送チャンネル抽出手段と、
前記ＩＤ受信手段により受信されたエリアＩＤに基づいて、前記無線ＬＡＮの基地局で放送可能な前記放送チャンネルを、予め前記エリアＩＤと前記放送チャンネルとを対応付けて記憶している放送チャンネル記憶手段から抽出する放送チャンネル抽出手段と、
前記契約放送チャンネル抽出手段により抽出された前記契約放送チャンネルおよび前記放送チャンネル抽出手段により抽出された前記放送チャンネルに基づいて、前記移動通信端末のユーザが前記エリアＩＤに対応する前記無線エリア内で視聴可能な前記放送チャンネルに対応する視聴鍵を、予め前記放送チャンネルと前記視聴鍵とを対応付けて記憶している視聴鍵記憶手段から抽出する視聴鍵抽出手段と、
少なくとも前記視聴鍵抽出手段により抽出された視聴鍵および当該視聴鍵に対応する放送チャンネルを含む番組情報を前記移動通信端末に送信する番組情報送信手段と、
備えることを特徴とする無線ＬＡＮ放送システム。
【請求項２】
前記移動通信端末が、
前記番組情報受信手段により前記視聴鍵が受信された場合に、前記視聴鍵を受信したことを示す受信通知を前記管理サーバに送信する受信通知送信手段をさらに備え、
前記管理サーバが、
前記移動通信端末により送信される前記受信通知に基づいて、前記視聴鍵の料金を徴収するための課金処理を実行する課金手段をさらに備える
ことを特徴とする請求項１記載の無線ＬＡＮ放送システム。
【請求項３】
前記移動通信端末が、
前記番組情報受信手段により受信された前記番組情報に含まれるテレビ番組の受信を開始することを示す受信開始信号を、前記無線ＬＡＮの基地局に送信する受信開始信号送信手段をさらに備え、
前記番組受信手段は、前記受信開始信号送信手段により前記受信開始信号が送信された後に前記放送チャンネルにより放送されたテレビ番組を受信することを特徴とする請求項１または２記載の無線ＬＡＮ放送システム。
【発明の詳細な説明】
【技術分野】
【０００１】
本発明は、無線ＬＡＮ放送システムに関する。
【背景技術】
【０００２】
下記特許文献１には、受信端末が自端末の位置情報および自端末で受信可能な放送種別（ＶＨＦ／ＵＨＦ，ＢＳ／ＣＳ等）の情報をサーバに送信すると、自端末で受信可能な番組のリストをサーバから取得することができる放送受信システムが開示されている。この放送受信システムでは、取得した番組リストから所望の番組を選択すると、選択した番組が受信端末によって受信される。
【特許文献１】特開２００２−１０１４０５号公報
【発明の開示】
【発明が解決しようとする課題】
【０００３】
ところで、上述した特許文献１に記載された放送受信システムでは、受信端末がスクランブル放送されている番組を受信した場合には、スクランブルを解除することができず、ユーザが番組を視聴することができない。
【０００４】
そこで、本発明は、上述した課題を解決するために、スクランブル放送されている番組を簡易に視聴させることができる無線ＬＡＮ放送システムを提供することを目的とする。
【課題を解決するための手段】
【０００５】
本発明の無線ＬＡＮ放送システムは、テレビ番組を放送する無線ＬＡＮの基地局と、当該無線ＬＡＮの基地局に接続可能な移動通信端末と、当該移動通信端末が接続可能な移動体通信網の基地局と、移動通信端末と移動体通信網の基地局を介して通信を行う管理サーバと、を備える無線ＬＡＮ放送システムであって、上記移動通信端末が、無線ＬＡＮの基地局がカバーする無線エリア内に移動したときに、当該無線エリアを識別するためのエリアＩＤを無線ＬＡＮの基地局から受信するエリアＩＤ受信手段と、受信されたエリアＩＤおよび移動通信端末を識別するための端末ＩＤを、管理サーバに送信する識別ＩＤ送信手段と、テレビ番組が放送される放送チャンネルおよびテレビ番組を視聴するための視聴鍵が含まれる番組情報を、管理サーバから受信する番組情報受信手段と、番組情報受信手段により受信された番組情報に含まれる放送チャンネルで放送されるテレビ番組を、無線ＬＡＮの基地局から受信する番組受信手段と、番組受信手段により受信されたテレビ番組を、番組情報受信手段により受信された視聴鍵を用いて復号する復号手段と、を備え、上記管理サーバが、エリアＩＤおよび端末ＩＤを、移動通信端末から受信する識別ＩＤ受信手段と、ＩＤ受信手段により受信された端末ＩＤに基づいて、移動通信端末のユーザが視聴契約している契約放送チャンネルを、予め前記端末ＩＤと契約放送チャンネルとを対応付けて記憶している契約放送チャンネル記憶手段から抽出する契約放送チャンネル抽出手段と、ＩＤ受信手段により受信されたエリアＩＤに基づいて、無線ＬＡＮの基地局で放送可能な放送チャンネルを、予めエリアＩＤと放送チャンネルとを対応付けて記憶している放送チャンネル記憶手段から抽出する放送チャンネル抽出手段と、契約放送チャンネル抽出手段により抽出された契約放送チャンネルおよび放送チャンネル抽出手段により抽出された放送チャンネルに基づいて、移動通信端末のユーザが前記エリアＩＤに対応する無線エリア内で視聴可能な前記放送チャンネルに対応する視聴鍵を、予め放送チャンネルと視聴鍵とを対応付けて記憶している視聴鍵記憶手段から抽出する視聴鍵抽出手段と、少なくとも視聴鍵抽出手段により抽出された視聴鍵および当該視聴鍵に対応する放送チャンネルを含む番組情報を移動通信端末に送信する番組情報送信手段とを備えることを特徴とする。
【０００６】
この発明によれば、移動通信端末によって、自端末が在圏する無線ＬＡＮの無線エリアを識別するためのエリアＩＤと自端末を識別するための端末ＩＤとが送信され、このエリアＩＤおよび端末ＩＤを受信した管理サーバによって、端末ＩＤに対応して記憶されている契約放送チャンネルとエリアＩＤに対応して記憶されている放送チャンネルとがそれぞれ抽出され、抽出された放送チャンネルのうち共通する放送チャンネルに基づいて、当該放送チャンネルに対応して記憶されている視聴鍵が抽出される。したがって、管理サーバは、移動通信端末のユーザが視聴契約をしており、かつ移動通信端末が在圏する無線ＬＡＮの無線エリア内で放送可能な放送チャンネルに対応する視聴鍵を抽出することができる。また、管理サーバによって、上述した視聴鍵と当該視聴鍵に対応する放送チャンネルとを含む番組情報が送信され、この番組情報を受信した移動通信端末によって、番組情報に含まれる放送チャンネルでスクランブル放送されているテレビ番組が受信され、受信されたテレビ番組が視聴鍵を用いて復号される。したがって、移動通信端末のユーザは、スクランブル放送されているテレビ番組を簡易に視聴することができる。また、移動通信端末が管理サーバから受信する視聴鍵は、移動体通信網の基地局を介して受信されるため、移動体通信網を利用可能な契約ユーザにのみ視聴鍵を配布することができるとともに、移動体通信網のセキュリティを利用して視聴鍵の漏洩を防止することが可能となる。
【０００７】
また、本発明の無線ＬＡＮ放送システムにおいて、上記移動通信端末が、番組情報受信手段により視聴鍵が受信された場合に、視聴鍵を受信したことを示す受信通知を管理サーバに送信する受信通知送信手段をさらに備え、上記管理サーバが、移動通信端末により送信される受信通知に基づいて、視聴鍵の料金を徴収するための課金処理を実行する課金手段をさらに備えることが好ましい。
【０００８】
このようにすれば、視聴鍵を受信した移動通信端末によって、視聴鍵を受信したことを示す受信通知が管理サーバに対して送信されるため、管理サーバでは、移動通信端末で視聴鍵が受信された事実を認識することができる。また、管理サーバによって、移動通信端末により受信された視聴鍵の料金を徴収するための課金処理が実行されるため、視聴鍵を配布したことに対する料金を移動通信端末のユーザから徴収することができる。
【０００９】
また、本発明の無線ＬＡＮ放送システムにおいて、上記移動通信端末が、番組情報受信手段により受信された番組情報に含まれるテレビ番組の受信を開始することを示す受信開始信号を、無線ＬＡＮの基地局に送信する受信開始信号送信手段をさらに備え、番組受信手段は、受信開始信号送信手段により受信開始信号が送信された後に放送チャンネルにより放送されたテレビ番組を受信することが好ましい。このようにすれば、ユーザが所望するテレビ番組を、ユーザの意志に基づいて受信することが可能となる。
【発明の効果】
【００１０】
本発明に係る無線ＬＡＮ放送システムによれば、スクランブル放送されている番組を簡易に視聴させることができる。
【発明を実施するための最良の形態】
【００１１】
以下、本発明に係る無線ＬＡＮ放送システムの実施形態を図面に基づき説明する。なお、各図において、同一要素には同一符号を付して重複する説明を省略する。
【００１２】
図１は、本実施形態における無線ＬＡＮ放送システム１の構成を例示する図である。図１に示すように、無線ＬＡＮ放送システム１は、携帯電話機１０（移動通信端末）と、移動体通信網の基地局２０と、管理サーバ３０と、無線ＬＡＮの基地局４０と、コンテンツサーバ５０とを有する。携帯電話機１０と管理サーバ３０は、移動体通信網の基地局２０を介して互いにデータの送受信を行う。携帯電話機１０とコンテンツサーバ５０は、無線ＬＡＮの基地局４０を介して互いにデータの送受信を行う。
【００１３】
なお、本実施形態においては、移動通信端末の具体例として携帯電話機１０を用いて説明しているが、移動通信端末の具体例はこれに限られず、例えば、簡易型携帯電話機（ＰＨＳ）や通信機能を有する携帯型情報端末（ＰＤＡ）等の移動通信端末であってもよい。
【００１４】
次に、図１に示される各装置について説明する。
【００１５】
携帯電話機１０は、自機が在圏する無線エリアをカバーする基地局２０，４０と無線通信を行い、通話サービスまたはパケット通信サービスを受ける移動通信端末である。携帯電話機１０は、テレビ機能およびデコーダー機能を搭載している。
【００１６】
管理サーバ３０は、各無線ＬＡＮ内において放送可能な放送チャンネルおよび各携帯電話機１０のユーザが視聴契約している放送チャンネルに関する情報を管理する装置である。
【００１７】
コンテンツサーバ５０は、無線ＬＡＮで放送されるテレビ番組を管理し、無線ＬＡＮの基地局４０を介してテレビ番組を配信する装置である。
【００１８】
このように構成される無線ＬＡＮ放送システム１では、携帯電話機１０が無線ＬＡＮの無線エリア４０Ａ内に移動して、携帯電話機１０のテレビボタンが押下されると、以下のような処理が行われる。まず、管理サーバ３０は、無線ＬＡＮ内において放送され、かつ携帯電話機１０で視聴可能なテレビ番組、およびそのテレビ番組を視聴するための視聴鍵を、携帯電話機１０に対して送信する。次に、ユーザがテレビ番組を選択すると、携帯電話機１０は、コンテンツサーバ５０から配信されるテレビ番組を無線ＬＡＮの基地局４０を介して受信する。これにより、視聴鍵を用いてスクランブル解除された番組が携帯電話機１０の画面上に表示される。
【００１９】
ここで、視聴鍵とは、スクランブル（暗号化）放送されているテレビ番組のスクランブルを解除（復号）するための鍵である。したがって、スクランブル放送されているテレビ番組は、このテレビ番組に対応する視聴鍵がなければ視聴することができない。
【００２０】
また、視聴鍵は、テレビ番組ごとに用意してもよいし、時間帯ごとに用意してもよい。すなわち、無線ＬＡＮの無線エリア４０Ａ内においてテレビ番組と視聴鍵とを受信したユーザが、その場でリアルタイムに、スクランブル放送されているテレビ番組を視聴することができればよい。
【００２１】
以下においては、このような特徴を有する無線ＬＡＮ放送システム１に備えられる携帯電話機１０および管理サーバ３０の機能構成について詳細に説明する。
【００２２】
まず、図２を参照して携帯電話機１０の機能構成について説明する。図２に示すように、携帯電話機１０は、エリアＩＤ受信部１１（エリアＩＤ受信手段）と、識別ＩＤ送信部１２（識別ＩＤ送信手段）と、テレビ番組情報受信部１３（番組情報受信手段）と、テレビ番組受信部１４（番組受信手段）と、視聴鍵受信通知送信部１５（受信通知送信手段）と、受信開始信号送信部１６（受信開始信号送信手段）と、スクランブル解除部１７（復号手段）とを備えている。
【００２３】
エリアＩＤ受信部１１は、無線ＬＡＮの基地局４０がカバーする無線エリアを識別するためのエリアＩＤを受信する。このエリアＩＤは、無線ＬＡＮの基地局４０により随時配信される情報である。したがって、携帯電話機１０は、無線ＬＡＮの無線エリア４０Ａ内に移動することによって、携帯電話機１０が現時点において在圏している無線エリア４０ＡのエリアＩＤを取得することができる。
【００２４】
識別ＩＤ送信部１２は、エリアＩＤ受信部１１により受信されたエリアＩＤおよび携帯電話機１０の電話番号を、管理サーバ３０に送信する。なお、本実施形態においては、携帯電話機１０の電話番号を送信しているが、これに限られず、管理サーバ３０側で携帯電話機１０を一意に特定することができる識別ＩＤ（端末ＩＤ）であればよい。
【００２５】
テレビ番組情報受信部１３は、管理サーバ３０により送信されたテレビ番組情報を受信する。テレビ番組情報には、例えば、“ＮＨＫ”や“ＴＢＳ”等の放送チャンネルの名称や、これらの放送チャンネルで放送されるテレビ番組の視聴鍵が含まれる。
【００２６】
テレビ番組受信部１４は、コンテンツサーバ５０により配信されるテレビ番組を、無線ＬＡＮの基地局４０から受信する。
【００２７】
視聴鍵受信通知送信部１５は、テレビ番組情報受信部１３により視聴鍵を含むテレビ番組情報が受信された場合に、視聴鍵を受信したことを示す視聴鍵受信通知を管理サーバ３０に送信する。これにより、管理サーバ３０側では、携帯電話機１０において視聴鍵が受信された事実を認識することができる。
【００２８】
受信開始信号送信部１６は、受信開始信号を無線ＬＡＮの基地局４０に送信する。受信開始信号とは、テレビ番組情報に含まれるテレビ番組がユーザにより選択されたときに送信される信号であり、テレビ番組の受信を開始する際に発信される。したがって、上述したテレビ番組受信部１４は、受信開始信号送信部１６により受信開始信号が送信された後にテレビ番組を受信することになる。
【００２９】
スクランブル解除部１７は、テレビ番組受信部１４により受信されたテレビ番組のスクランブルを解除する。具体的に説明すると、スクランブル解除部１７は、テレビ番組情報受信部１３により受信された視聴鍵を用いてテレビ番組のスクランブルを解除する。
【００３０】
次に、図３を参照して管理サーバ３０の機能構成について説明する。図３に示すように、管理サーバ３０は、識別ＩＤ受信部３１（識別ＩＤ受信手段）と、契約放送チャンネル抽出部３２（契約放送チャンネル抽出手段）と、放送チャンネル抽出部３３（放送チャンネル抽出手段）と、視聴鍵抽出部３４（視聴鍵抽出手段）と、テレビ番組情報送信部３５（番組情報送信手段）と、課金部３６（課金手段）とを備えている。
【００３１】
また、管理サーバ３０は、契約放送チャンネルデータベース３Ａ（契約放送チャンネル記憶手段）と、放送チャンネルデータベース３Ｂ（放送チャンネル記憶手段）と、視聴鍵データベース３Ｃ（視聴鍵記憶手段）とを備えている。契約放送チャンネルデータベース３Ａは、携帯電話機１０を所有するユーザが視聴契約している放送チャンネルに関する情報を格納する。ここで、図４を参照して、契約放送チャンネルデータベース３Ａのデータ構成について説明する。契約放送チャンネルデータベース３Ａは、データ項目として、例えば、電話番号や契約放送チャンネルを有する。電話番号には、例えば“０９０２２２２３３３３”のように、携帯電話機１０を一意に特定するためのＩＤが格納される。契約放送チャンネルには、例えば、“ＮＨＫ”や“ＴＢＳ”のように、ユーザが視聴契約している放送チャンネルの名称が格納される。
【００３２】
放送チャンネルデータベース３Ｂは、無線ＬＡＮの無線エリア４０Ａ内で放送可能な放送チャンネルに関する情報を格納する。ここで、図５を参照して、放送チャンネルデータベース３Ｂのデータ構成について説明する。放送チャンネルデータベース３Ｂは、データ項目として、例えば、エリアＩＤや放送チャンネルを有する。エリアＩＤには、例えば“０００１”のように、無線ＬＡＮの基地局４０がカバーする無線エリアを特定するためＩＤが格納される。このような無線エリアとしては、例えば、地下鉄の駅またはコンビニエンスストアごとに設置されている無線ＬＡＮの無線エリアが該当する。放送チャンネルには、例えば、“ＮＨＫ”や“ＴＢＳ”のように、無線エリア４０Ａ内で放送可能な放送チャンネルの名称が格納される。
【００３３】
視聴鍵データベース３Ｃは、視聴鍵に関する情報を格納する。ここで、図６を参照して、視聴鍵データベース３Ｃのデータ構成について説明する。視聴鍵データベース３Ｃは、データ項目として、例えば、放送チャンネルや、テレビ番組、視聴鍵を有する。テレビ番組には、各放送チャンネルで放送されるテレビ番組名が格納され、視聴鍵には、テレビ番組のスクランブルを解除するための視聴鍵が格納される。
【００３４】
図３に示す識別ＩＤ受信部３１は、携帯電話機１０によって送信されたエリアＩＤおよび電話番号を受信する。
【００３５】
契約放送チャンネル抽出部３２は、識別ＩＤ受信部３１により受信された電話番号に基づいて、携帯電話機１０のユーザが視聴契約している契約放送チャンネルを、契約放送チャンネルデータベース３Ａから抽出する。
【００３６】
放送チャンネル抽出部３３は、識別ＩＤ受信部３１により受信されたエリアＩＤに基づいて、無線ＬＡＮの無線エリア４０Ａ内で放送可能な放送チャンネルを、放送チャンネルデータベース３Ｂから抽出する。
【００３７】
視聴鍵抽出部３４は、契約放送チャンネル抽出部３２により抽出された契約放送チャンネルであり、かつ放送チャンネル抽出部３３により抽出された放送チャンネルである放送チャンネルに基づいて、当該放送チャンネルで放送されるテレビ番組の視聴鍵を視聴鍵データベース３Ｃから抽出する。すなわち、視聴鍵抽出部３４は、携帯電話機１０が在圏する無線エリア４０Ａ内でユーザが視聴可能な放送チャンネルにより放送されるテレビ番組の視聴鍵を抽出する。
【００３８】
テレビ番組情報送信部３５は、視聴鍵抽出部３４により抽出された視聴鍵と、この視聴鍵に対応する放送チャンネルおよびテレビ番組とを含むテレビ番組情報を携帯電話機１０に送信する。なお、テレビ番組情報には、少なくとも視聴鍵と放送チャンネルとが含まれていればよい。この場合には、ユーザが放送チャンネルを選択すると、選択した放送チャンネルで現在放送されている番組が受信されることとなる。ただし、テレビ番組情報にテレビ番組を含めることによって、ユーザが、テレビを視聴する際に、テレビ番組を認識した上で視聴する番組を選択することができるようになる。
【００３９】
課金部３６は、携帯電話機１０によって送信される視聴鍵受信通知に基づいて、課金処理をする際に必要な課金情報を生成する。この課金情報は、携帯電話機１０が受信した視聴鍵に基づいて生成される。すなわち、視聴鍵ごとに予め定められた料金が携帯電話機１０に対して課金される。また、課金部３６は、所定の課金処理日に、上述した課金情報に基づいて課金処理を実行する。これにより、視聴鍵を配布したことに対する料金を携帯電話機１０のユーザから徴収することが可能となる。
【００４０】
次に、図７を参照して本実施形態における無線ＬＡＮ放送システム１の動作について説明する。まず、携帯電話機１０が無線ＬＡＮの基地局４０がカバーする無線エリア４０Ａ内に移動すると、携帯電話機１０のエリアＩＤ受信部１１は、無線ＬＡＮの基地局４０によって随時配信されているエリアＩＤを受信する（ステップＳ１）。
【００４１】
次に、携帯電話機１０の識別ＩＤ送信部１２は、ユーザによりテレビボタンが押下（ステップＳ２）されたことを検知すると、エリアＩＤ受信部１１により受信されたエリアＩＤおよび携帯電話機１０の電話番号を、管理サーバ３０に送信する（ステップＳ３）。
【００４２】
次に、管理サーバ３０の契約放送チャンネル抽出部３２は、識別ＩＤ受信部３１により受信された電話番号に基づいて、携帯電話機１０のユーザが視聴契約している契約放送チャンネルを、契約放送チャンネルデータベース３Ａから抽出する（ステップＳ４）。
【００４３】
次に、管理サーバ３０の放送チャンネル抽出部３３は、識別ＩＤ受信部３１により受信されたエリアＩＤに基づいて、無線ＬＡＮの無線エリア４０Ａ内で放送可能な放送チャンネルを、放送チャンネルデータベース３Ｂから抽出する（ステップＳ５）。
【００４４】
次に、管理サーバ３０の視聴鍵抽出部３４は、契約放送チャンネル抽出部３２により抽出された契約放送チャンネルであり、かつ放送チャンネル抽出部３３により抽出された放送チャンネルである放送チャンネルに基づいて、当該放送チャンネルで放送されるテレビ番組に対応する視聴鍵を視聴鍵データベース３Ｃから抽出する（ステップＳ６）。
【００４５】
次に、管理サーバ３０のテレビ番組情報送信部３５は、視聴鍵抽出部３４により抽出された視聴鍵と、この視聴鍵に対応する放送チャンネルおよびテレビ番組を含むテレビ番組情報を、携帯電話機１０に送信する（ステップＳ７）。
【００４６】
次に、携帯電話機１０の視聴鍵受信通知送信部１５は、テレビ番組情報受信部１３により視聴鍵を含むテレビ番組情報が受信された場合に、視聴鍵を受信したことを示す視聴鍵受信通知を管理サーバ３０に送信する（ステップＳ８）。
【００４７】
次に、携帯電話機１０の受信開始信号送信部１６は、ユーザにより放送チャンネルが選択（ステップＳ９）されたことを検知すると、放送受信開始信号を、無線ＬＡＮの基地局４０に送信する（ステップＳ１０）。これにより、放送受信開始信号が、無線ＬＡＮの基地局４０からコンテンツサーバに送信される。
【００４８】
次に、コンテンツサーバ５０は、放送受信開始信号に対応する放送チャンネルで放送されるテレビ番組を、無線ＬＡＮの基地局４０に送信する（ステップＳ１１）。これにより、テレビ番組が、無線ＬＡＮの基地局４０から携帯電話機１０に送信される。すなわち、携帯電話機１０は、無線ＬＡＮの基地局４０によって放送されるテレビ番組を受信する。
【００４９】
次に、携帯電話機１０のスクランブル解除部１７は、テレビ番組受信部１４により受信されたテレビ番組にかけられたスクランブルを、視聴鍵を用いて解除する（ステップＳ１２）。これにより、携帯電話機１０の表示画面上には、スクランブルが解除された後のテレビ番組が表示される。すなわち、携帯電話機１０のユーザは、テレビ番組を視聴することができる。
【００５０】
次に、管理サーバ３０の課金部３６は、携帯電話機１０によって送信された視聴鍵受信通知に基づいて、課金処理をする際に必要な課金情報を生成し、課金処理を実行する（ステップＳ１３）。
【００５１】
以上のように、本実施形態における無線ＬＡＮ放送システム１においては、携帯電話機１０によって、自機１０が在圏する無線ＬＡＮの無線エリア４０Ａを識別するためのエリアＩＤと自機１０を識別するための電話番号とが管理サーバ３０に対して送信される。そして、このエリアＩＤおよび電話番号を受信した管理サーバ３０によって、電話番号に対応して記憶されている契約放送チャンネルとエリアＩＤに対応して記憶されている放送チャンネルとがそれぞれ抽出され、抽出された放送チャンネルのうち共通する放送チャンネルに基づいて、当該放送チャンネルに対応して記憶されている視聴鍵が抽出される。これにより、管理サーバ３０は、携帯電話機１０のユーザが視聴契約をしており、かつ携帯電話機１０が在圏する無線ＬＡＮの無線エリア４０Ａ内で放送可能な放送チャンネルに対応する視聴鍵を抽出することができる。
【００５２】
また、管理サーバ３０によって、視聴鍵と当該視聴鍵に対応する放送チャンネルとを含む番組情報が携帯電話機１０に対して送信される。そして、この番組情報を受信した携帯電話機１０によって、番組情報に含まれる放送チャンネルでスクランブル放送されているテレビ番組が受信され、受信されたテレビ番組が視聴鍵を用いて復号される。これにより、携帯電話機１０のユーザは、スクランブル放送されているテレビ番組を簡易に視聴することができる。
【００５３】
また、携帯電話機１０が管理サーバ３０から受信する視聴鍵は、移動体通信網の基地局２０を介して受信されるため、移動体通信網を利用可能な契約ユーザにのみ視聴鍵を配布することができるとともに、移動体通信網のセキュリティを利用して視聴鍵の漏洩を防止することが可能となる。
【図面の簡単な説明】
【００５４】
【図１】実施形態における無線ＬＡＮ放送システムのシステム構成を示す図である。
【図２】図１に示す携帯電話機の機能構成を示すブロック図である。
【図３】図１に示す管理サーバの機能構成を示すブロック図である。
【図４】契約放送チャンネルデータベースのデータ構成を示す図である。
【図５】放送チャンネルデータベースのデータ構成を示す図である。
【図６】視聴鍵データベースのデータ構成を示す図である。
【図７】無線ＬＡＮ放送システムの各装置間における動作を示すシーケンス図である。
【符号の説明】
【００５５】
１・・・無線ＬＡＮ放送システム、１０・・・携帯電話機、１１・・・エリアＩＤ受信部、１２・・・識別ＩＤ送信部、１３・・・テレビ番組情報受信部、１４・・・テレビ番組受信部、１５・・・視聴鍵受信通知送信部、１６・・・受信開始信号送信部、１７・・・スクランブル解除部、２０・・・移動体通信網の基地局、３０・・・管理サーバ、３１・・・識別ＩＤ受信部、３２・・・契約放送チャンネル抽出部、３３・・・放送チャンネル抽出部、３４・・・視聴鍵抽出部、３５・・・テレビ番組情報送信部、３６・・・課金部、３Ａ・・・契約放送チャンネルデータベース、３Ｃ・・・視聴鍵データベース、３Ｂ・・・放送チャンネルデータベース、４０・・・無線ＬＡＮの基地局、４０Ａ・・・無線エリア、５０・・・コンテンツサーバ。
【図１】
2006074500.tif 000003
【図２】
2006074500.tif 000004
【図３】
2006074500.tif 000005
【図４】
2006074500.tif 000006
【図５】
2006074500.tif 000007
【図６】
2006074500.tif 000008
【図７】
2006074500.tif 000009